(57)【要約】【課題】本発明に係る注意喚起装置はキーホルダー機能を有し、予め設定された音声が各操作ボタン等の動きに連携して出力され、ユーザーに防犯・防災行動をするよう働きかけるようにした。【解決手段】本発明に関る注意喚起装置は、以下の要件を備えることを特徴とする。（イ）上記注意喚起装置は、鍵を保持するキーホルダー機能を有すること（ロ）上記注意喚起装置は、動作を確認する操作ボタンを有すること（ハ）上記注意喚起装置は、注意喚起をする発音機能を有し、上記操作ボタン等の操作に連係して作動すること【選択図】図１
2007095017.tif 000002
【特許請求の範囲】
【請求項１】
以下の要件を備えることを特徴とする注意喚起装置。
（イ）上記注意喚起装置は、鍵を保持するキーホルダー機能を有すること
（ロ）上記注意喚起装置は、動作を確認する操作ボタンを有すること
（ハ）上記注意喚起装置は、注意喚起をする発音機能を有し、上記操作ボタン等の操作に連係して作動すること
【請求項２】
前記操作ボタンの方式は、スライドボタン又は押しボタンであり、動作状況が容易に視認できることを特徴とする、請求項１記載の注意喚起装置。
【請求項３】
前記操作ボタンの復帰は、各操作ボタンを手動で行なうことでも可能であるが、定置スタンドへの定置により行なうことを特徴とする、請求項２記載の注意喚起装置。
【請求項４】
前記発音機能には、複数の音声が記録されており、予め設定された条件に従って適宜の音声を出力する、請求項１、２又は３記載の注意喚起装置。
【請求項５】
前記発音機能は、直前の出力音声を随時再生出力することができる、請求項４記載の注意喚起装置。
【請求項６】
前記キーホルダーは、鍵の格納忘れを防ぐ注意喚起手段を含むことを特徴とする、請求項１、２、３、４又は５記載の注意喚起装置。
【発明の詳細な説明】
【発明の詳細な説明】
【技術分野】
【０００１】本発明は、キーホルダーに注意喚起をする発音機能を備えた注意喚起装置に関するものである。
【背景技術】
【０００２】従来、マイコンを使った防犯・防災システムや警備会社によるセキュリティシステムが提供されている。これらのシステムは、多様な機能を有し、お出かけ時の電気器具あるいはガス器具等の消し忘れ防止や戸締り確認のみならず、お出かけ先からの確認や遠隔操作が可能である。
【発明の開示】
【発明が解決しようとする課題】
【０００３】しかし、このような防犯・防災システムは大掛かりで複雑なシステムのため設備費や維持費に相当な費用を要し、一般庶民には高嶺の花であった。【０００４】また、最近増加しつつある高齢者世帯における外出時の不安は、本人のみならず遠隔地に高齢者を抱える家族達にも及んでいるが、前記費用面での理由から解消手段にはなりにくいという問題があった。【０００５】本発明は、キーホルダーに発音機能を備えたコンパクトで低コストの注意喚起装置を提供することを課題とする。
【課題を解決するための手段】
【０００６】すなわち本発明に関る注意喚起装置は、以下の要件を備えることを特徴とする。
（イ）上記注意喚起装置は、鍵を保持するキーホルダー機能を有すること
（ロ）上記注意喚起装置は、動作を確認する操作ボタンを有すること
（ハ）上記注意喚起装置は、注意喚起をする発音機能を有し、上記操作ボタン等の操作に連係して作動すること【０００７】前記操作ボタンの方式は、スライドボタン又は押しボタンであり、動作状況が容易に視認できるようにする。容易に視認できるために、ボタンの位置変化だけでなく表示窓に色又は図形で変化をつけてもよい。【０００８】上記キーホルダー表面部のスライドボタンを、縦方向又は横方向に動かすことにより、一つ前の注意喚起音声案内の動作が完了したことを視認できると同時に次の注意喚起音声案内のスイッチとなる構成にする。
また、上記スライドボタンを押しボタン方式の構成にしてもよい。【０００９】前記操作ボタンの復帰は、各操作ボタンを手動で行うことも可能であるが、定置スタンドへの定置により機械的又は電気的に行ってもよい。【００１０】前記発音機能は、複数の音声が記録されており、予め設定された条件に従って適宜の音声を出力する。記録されている音声は、動作を促すために「火の始末をしてください」、「窓の鍵をかけてください」、「玄関の鍵を閉めてください」等の具体的言葉である。【００１１】また、前記発音機能には、直前の出力音声を随時再生出力することができる。何らかの邪魔が入り、何をしていたか忘れた時のために再生のためのスイッチを設けている【００１２】前記キーホルダーは、鍵の格納忘れを防ぐ注意喚起手段を含むことを特徴とする。キーホルダーの鍵格納部に鍵の存在を検知するセンサーを設けている。
【発明の効果】
【００１３】本発明によれば、お出かけ時の音声案内による確実な動作確認による防犯・防災と、その結果を動作終了後又はお出かけ先で視認できることにより、火の用心又は戸締りに対する不安解消に役立つ。
【発明を実施するための最良の形態】
【００１４】本発明に係る注意喚起装置はキーホルダー機能を有し、予め設定された音声が各操作ボタン等の動きに連携して出力され、ユーザーに防犯・防災行動をするよう働きかけるようにした。
【実施例１】
【００１５】図１は、本発明第一実施形態の注意喚起装置の概要を説明する正面側斜視図。図２は、本発明第一実施形態の操作ボタン動作の一例を説明する模式図。図３は、本発明第一実施形態の電気的構成を説明するブロック図。図４は、本発明第一実施形態の作動態様を説明するフローチャート図である。【００１６】図１においてＡは装置本体で、鍵を収納するケース本体１１に操作ボタン１５が配置されるとともに、発音機能の音声を出力するスピーカー部１６と音声を再生する再生スイッチ１９とから構成されている。【００１７】また、鍵の収納状態を視認できるケース内部透視窓１３、時刻を示す時計表示部１４、ケース本体を置くことができる定置スタンド１７等を付加機能としてもよい。【００１８】なお、本注意喚起装置は電池を電源として作動させることを想定しているが、定置スタンド１７の充電機能により充電してもよい。【００１９】装置本体Ａのケース本体１１は、ケース蓋留め具１０の開け閉めにより、ケース内部に鍵が収納できる。【００２０】次に、操作ボタン１５の動作の一例を図２の模式図に基づいて説明する。【００２１】Ｓ１は、装置本体Ａが定置スタンド上または定置スタンドから取り上げた直後の状態を示す。操作ボタン１、２、３が全て上段に位置する。その時、下段注意喚起表示窓の全ては警告を示す赤色が表示されている。【００２２】Ｓ２は、注意喚起音声による第一の動作である火の始末を終え、操作ボタン１を下段にスライドさせた状態を示す。この時、操作ボタン１の上段注意喚起表示窓は確認済みを示す緑色が表示されている。【００２３】Ｓ３は、注意喚起音声による第二の動作である窓等の戸締りを終え、操作ボタン２を下段にスライドさせた状態を示す。この時、操作ボタン２の上段注意喚起表示窓は確認済みを示す緑色が表示されている。【００２４】Ｓ４は、注意喚起音声による第三の動作である玄関の鍵をかけ、操作ボタン３を下段にスライドさせた状態を示す。この時、操作ボタン１，２、３の全てが下段にあり、上段注意喚起表示窓の全ては確認済みを示す緑色が表示されている。【００２５】装置本体Ａの電気的構成について図３のブロック図を使って説明する。【００２６】装置本体Ａを定置スタンドから取り上げる又は装置本体Ａの操作ボタンをスライドさせることにより電気信号が入力部１００から制御部１０４に入る。【００２７】制御部１０４は、マイクロコンピュータから構成され、音声記録部１０２から予め録音されている音声の中から適切な音声を選び、出力部１０１を通して出力する。【００２８】なお、上記音声記録部１０２には、「火の始末をしてください」、「窓の鍵をかけてください」、「玄関の鍵を閉めてください」等の簡潔で具体的行動を促す言葉が録音されている。【００２９】装置本体Ａの作動態様について図４のフローチャート図を使って説明する。【００３０】ユーザーが外出をする時、定置スタンドからキーホルダー（注意喚起装置）をとる。その行為により回路が閉じる（ステップＳ１１）。動作１について注意喚起の音声（例えば「火の始末をしてください」）が流れる（ステップＳ１２）。【００３１】ユーザーは、注意喚起の音声に従い動作１を実行する。例えば、「火の始末をしてください」の音声が流れれば、台所のガスコンロの確認や電化製品のコンセントを抜くなどの作業をする。冬季であれば、石油ストーブやコタツを確認することになる（ステップＳ１３）。【００３２】次に、動作１を実行したかどうかの判断をユーザーが行う（ステップＳ１４）。ここで、動作１を完了していれば操作ボタン１をスライドさせ次のステップ（ステップＳ２１）に進む。【００３３】途中で電話等が入ることにより、確認動作が中断されることがある。その時ユーザーは少し前まで実行していた動作１を続行するか注意喚起の再確認をするかを決める（ステップＳ１５）。【００３４】注意喚起が何であったかを再確認する場合は、再生ボタンを押す（ステップＳ１６）ことにより動作１についての注意喚起を再生（ステップＳ１２）することができる。【００３５】操作ボタン１をスライドさせる（ステップＳ２１）ことにより予め設定されたスイッチが入り電気回路が閉じる。動作２について注意喚起の音声（例えば「窓の鍵をかけてください」）が流れる（ステップＳ２２）。【００３６】ユーザーは、注意喚起の音声に従い動作２を実行する。例えば、「窓の鍵をかけてください」の音声が流れれば、家中の窓の鍵をかける（ステップＳ２３）。【００３７】次に、動作２を実行したかどうかの判断をユーザーが行う（ステップＳ２４）。ここで、動作２を完了していれば操作ボタン２をスライドさせ次のステップ（ステップＳ３１）に進む。【００３８】途中で電話等が入ることにより、確認動作が中断されることがある。その時ユーザーは少し前まで実行していた動作２を続行するか注意喚起の再確認をするかを決める（ステップＳ２５）。【００３９】注意喚起が何であったかを再確認する場合は、再生ボタンを押す（ステップＳ２６）ことにより動作２についての注意喚起を再生（ステップＳ２２）することができる。【００４０】操作ボタン２をスライドさせる（ステップＳ３１）ことにより予め設定されたスイッチが入り電気回路が閉じる。動作３について注意喚起の音声（例えば「玄関の鍵をしめてください」）が流れる（ステップＳ３２）。【００４１】ユーザーは、注意喚起の音声に従い動作３を実行する。例えば、「玄関の鍵を閉めてください」の音声が流れれば、最後に玄関の鍵をかける（ステップＳ３３）。【００４２】次に、動作３を実行したかどうかの判断をユーザーが行う（ステップＳ３４）。ここで、動作３を完了していれば操作ボタン３をスライドさせ次のステップ（ステップＳ４１）に進む。【００４３】途中で電話等が入ることにより、確認動作が中断されることがある。その時ユーザーは少し前まで実行していた動作３を続行するか注意喚起の再確認をするかを決める（ステップＳ３５）。【００４４】注意喚起が何であったかを再確認する場合は、再生ボタンを押す（ステップＳ３６）ことにより動作３についての注意喚起を再生（ステップＳ３２）することができる。【００４５】操作ボタン３をスライドさせる（ステップＳ４１）ことにより予め設定されたスイッチが入り電気回路が閉じる。注意喚起の音声として（例えば「お出かけ前の全ての確認は完了しました」）が流れる。【００４６】このようにしてお出かけ時の防犯・防災行動を万全にすると同時にお出かけ先での確認状況視認による安心が確保される。【００４７】帰宅時における前記操作ボタンの復帰は、各操作ボタンを手動で行うことも可能であるが、定置スタンドへの定置により機械的又は電気的に行ってもよい。ここで操作ボタンの復帰とは、全ての操作ボタンが初期状態（操作ボタンが上段にあり、注意喚起表示窓が警告色の赤を表示している状態を言う）。
【産業上の利用可能性】これらの機能が携帯電話に組み込まれてもよい。
【図面の簡単な説明】
【００４９】
【図１】本発明に係わる注意喚起装置の概要を説明する正面側斜視図
【図２】装置本体の操作ボタン動作の一例を説明する模式図
【図３】装置本体の電気的構成を説明するブロック図
【図４】装置本体の作動態様を説明するフローチャート図
【符号の説明】
【００５０】１０ケース蓋留め具
１１ケース本体
１２ケース吊り下げ部
１３ケース内部透視窓
１４時計表示部
１５操作ボタン機能部
１６スピーカー部
１７定置スタンド
１８電源コード
１９再生スイッチ
１００入力部
１０１出力部
１０２音声記録部
１０３タイマー部
１０４制御部
Ａ注意喚起装置
【図１】
2007095017.tif 000003
【図２】
2007095017.tif 000004
【図３】
2007095017.tif 000005
【図４】
2007095017.tif 000006